(57)【要約】【課題】  軸力管に管軸と垂直方向の外力によって曲げが生じる場合であっても軸力管を補剛することができ、その上軸力管と補剛管とのすき間の管理幅（許容範囲）が比較的広く、製作が容易な二重鋼管型ブレースを提供する。【解決手段】  建築構造物に設置されて軸方向の力を受ける軸力管１１と、この軸力管１１が挿入されている補剛管２０又は軸力管１１内に挿入されている補剛管２０とを有し、軸力管１１の両端部近傍の外周面に、金属線材からなる座屈防止部材を設けた。【選択図】        図１
2006037590.tif 000002
【特許請求の範囲】
【請求項１】
建築構造物に設置されて軸方向の力を受ける軸力管と、該軸力管が挿入されている補剛管又は該軸力管内に挿入されている補剛管とを有し、
前記軸力管の両端部近傍の外周面に、金属線材からなる座屈防止部材を設けたことを特徴とする二重鋼管型ブレース材。
【請求項２】
前記座屈防止部材を、金属線材により一層又は複数層のスパイラル状又は鳥かご状に形成したことを特徴とする請求項１記載の二重鋼管型ブレース材。
【請求項３】
前記座屈防止部材を、前記軸力管の両端部から中央部に向って該軸力管の直径の０．５倍以上３倍以下の範囲に設けたことを特徴とする請求項１又は２記載の二重鋼管型ブレース材。
【請求項４】
前記座屈防止部材を、鉄筋材によって形成したことを特徴とする請求項１〜３のいずれかに記載の二重鋼管型ブレース材。
【請求項５】
前記座屈防止部材に、アンボンド処理を施したことを特徴とする請求項１〜４のいずれかに記載の二重鋼管型ブレース材。
【発明の詳細な説明】
【技術分野】
【０００１】
本発明は、建築構造物に設置されて地震発生時の地震エネルギーを吸収する軸力管と、この軸力管を補剛する補剛管とからなる二重鋼管型ブレース材に関するものである。
【背景技術】
【０００２】
従来、建築構造物に設置されて地震発生時の地震エネルギーを吸収する軸力管と、この軸力管を補剛する補剛管とからなる二重鋼管型ブレース材は、軸力管が吸収する地震エネルギーを増大させるために、軸力管の非軸対称局部座屈（以下、局部座屈という）を防止して、全長にわたる圧縮塑性変形を促進するための提案がなされていた。
【０００３】
このために、例えば軸力管の両端を厚肉鋼管によって形成したり、軸力管の両端外周に鋼管材や帯鋼材を設置（以下、端部補剛という）したりすることによって局部座屈を防止するようにしたものがある（例えば、特許文献１参照）。
また、軸力管（内管）の両端に固定された継手部材の外周に溶接ビードを肉盛りし、この溶接ビードの外周を切削加工して補剛管（外管）とのすき間を可及的に小さくすること（以下、最小すき間という）によって局部座屈を防止するようにしたものがある（例えば、特許文献２参照）。
【０００４】
【特許文献１】特開平６−３４６５１０号公報（第４−５頁、図１）
【特許文献２】特許第２７１１９９４号公報（第４頁、図１）
【発明の開示】
【発明が解決しようとする課題】
【０００５】
特許文献１に記載された発明は、端部補剛によって軸力管の軸方向の力のみが導入されるものについて、軸力管の圧縮塑性変形が促進されるという効果を有するものであるため、軸力管に曲げが掛かる場合には、圧縮塑性変形が十分に促進されないという問題があった。このため、軸力管を建築構造物に剛接合することができなかったり、ピン接合する場合には接合部の摩擦を低減する工夫が必要であったりした。
【０００６】
また、特許文献２に記載された発明は、溶接ビードによって軸力管と補剛管とのすき間を最小にするようにしているが、二重鋼管型ブレース材を製作する際に、軸力管を補剛管内に挿入するためには両者の間に所定のすき間（例えば、５〜１０ｍｍ）が必要になるため、最小すき間の保証が困難であるという問題があった。
【０００７】
本発明は、上記の課題を解決するためになされたもので、軸力管に管軸と垂直方向の外力によって曲げが生じる場合であっても軸力管を補剛することができ、その上軸力管と補剛管とのすき間の管理幅（許容範囲）が比較的広く、製作が容易な二重鋼管型ブレースを提供することを目的としたものである。
【課題を解決するための手段】
【０００８】
本発明に係る二重鋼管型ブレース材は、建築構造物に設置されて軸方向の力を受ける軸力管と、該軸力管が挿入されている補剛管又は該軸力管内に挿入されている補剛管とを有し、前記軸力管の両端部近傍の外周面に、金属線材からなる座屈防止部材を設けたものである。
【０００９】
上記の座屈防止部材を、金属線材により一層又は複数層のスパイラル状又は鳥かご状に形成した。
また、上記の座屈防止部材を、前記軸力管の両端部から中央部に向って該軸力管の直径の０．５倍以上３倍以下の範囲に設けた。
さらに、上記の座屈防止部材を、鉄筋材によって形成した。
また、上記の座屈防止部材に、アンボンド処理を施した。
【発明の効果】
【００１０】
本発明によれば、二重鋼管型ブレース材の軸力管の管端部近傍が座屈防止部材によって補剛されているので、軸力管に曲げ力が掛かった場合でもこれを抑制することができ、また、軸力管と補剛管との間に形成されるすき間の管理幅（許容範囲）を比較的広くできるため、補剛管への軸力管の挿入作用が容易になる。
また、二重鋼管型ブレース材を建築構造に剛接合又は特別な工夫をすることなくピン接合することができ、同時に、軸力管自体の地震エネルギの吸収量が増加して、制震効果を促進することができる。
【発明を実施するための最良の形態】
【００１１】
［実施の形態１］
図１は本発明の実施の形態１に係る二重鋼管型ブレース材の要部を模式的に示した一部断面図である。なお、図には構造をわかり易くするために、各部の寸法を誇張して示してある。
図において、二重鋼管型ブレース材１（以下、ブレース材という）は、軸方向の力を受ける軸力管部材１０と、この軸力管部材１０を構成する軸力管１１が挿入された補剛管２０とからなっている。そして、軸力管１１の両端部にはエンドプレート１２が接合されており、エンドプレート１２の端部にはそれぞれ十字ガセットプレート１３が接合されている。なお、軸力管１１が補剛管２０から抜け出さないように、エンドプレート１２にはストッパ（図示せず）が設けられている。この抜け出し防止手段はストッパに限定するものではなく、例えば、補剛管２０と軸力管部材１０の一部を連結するなど、他の手段によってもよい。
【００１２】
１４は軸力管１１の外周面に、両端部から中央部に向って所定の範囲に設けられた座屈防止部材を構成するスパイラル状に巻回された１本の鉄筋材（以下、スパイラル状鉄筋材という）で、その端部はエンドプレート１２に巻回され、溶接により固定されている。このスパイラル状鉄筋材１４の鉄筋径や巻回数、ピッチなどの巻回態様については、特に限定するものではない。
【００１３】
次に、軸力管１１に設けた座屈防止部材を構成するスパイラル状鉄筋材１４の設置範囲について説明する。
図６は座屈防止部材が設けられていない従来の二重鋼管型ブレース材における局部座屈の長さを示す度数分布図で、縦軸に度数、横軸に軸力管の鋼管径に対する座屈長さ（管端部から局部座屈が発生している位置までの長さ）を示す。
【００１４】
図から明らかなように、鋼管径の２分の１未満の長さ及び鋼管径の３倍以上の長さ位置には局部座屈は発生していない。そして、鋼管径の２分の１以上から３倍までの範囲に局部座屈が発生しているが、特に、鋼管径の２分の１以上で鋼管径以下の範囲に発生する局部座屈が全体のほぼ５５％を占めており、鋼管径の２分の１以上で鋼管径の１．５倍未満の範囲に発生する局部座屈は、全体のほぼ８７％を占めている。
このようなことから、本実施の形態における座屈防止部材、したがって、スパイラル状鉄筋材１４を巻回する範囲を、局部座屈が発生する軸力管１１の外径の０．５倍以上３倍以下の範囲とした。
【００１５】
また、軸力管１１の外周面と補剛管２０の内周面との間に形成されるすき間ｇは、軸力管１１を補剛管２０内に挿入する作業が可能な程度で、かつ軸力管１１が波状に塑性変形（軸対称塑性変形）することが可能な程度とする。
この軸力管１１と補剛管２０との間に形成されるすき間ｇは、上述のように、施工時には大きく、動作時（地震発生時）には小さいことが望ましいが、本実施の形態においては、両者のすき間ｇを比較的大きくしても、軸力管１４に巻回するスパイラル状鉄筋材１４の径を適宜選定することにより、すき間ｇを調整して小さくすることができる。
【００１６】
軸力管１１の両端部に設けた十字ガセットプレート１３は、建築構造物に設置された十字ガセットプレートと突き合わされ、貫通孔１３ａに挿入したボルトによりスプライスプレートを介して接合される。この場合、十字ガセットプレート１３の端部にエンドプレート１２と平行して取付用プレートを固定し、この取付け用プレートを建築構造物に設けた設置用プレートに当接して、両者をボルトにより接合してもよい。なお、軸力管部材１０を建築構造物に接合する手段は上記に限定するものではなく、例えばピン接合するなど、他の手段を用いてもよい。
【００１７】
上記の説明では、座屈防止部材として軸力管１１の両端部近傍にスパイラル状鉄筋材１４を巻回した場合を示したが、これに代えて、軸力管１１の両端部外周の所定の範囲に、鳥かご状の鉄筋材（図２参照）を巻回（配設）し、その端部を溶接によりエンドプレート１２に固定してもよい。また、スパイラル状鉄筋材１４を一層に巻回した場合を示したが、二層以上の複数層に巻回してもよい。
【００１８】
このように構成した本実施の形態に係るブレース材１においては、軸力管部材１０を構成する軸力管１１のスパイラル状鉄筋材１４（又は鳥かご状鉄筋材）が巻回された範囲は、スパイラル状鉄筋材１４によって管周方向が拘束されて端部補強が達成されており、軸力管１０は曲げ変形が生じにくくなっている。また、管軸に垂直な面外の変形（例えば、円径のままの拡径化や周長が伸びるような楕円形化等）も生じにくくなる。
【００１９】
このため、地震発生時に建築構造物が変形して、軸力管１１に軸方向の圧縮力および曲げ力が作用した場合でも、軸力管１１はスパイラル状鉄筋材１４（又は鳥かご状鉄筋材）を巻回した範囲が、管軸方向および円周方向で補剛されているため、当該範囲において局部座屈が生じにくくなり、軸力管１１の広い範囲（軸方向の長い範囲）で圧縮塑性変形が生じ、地震エネルギを十分吸収することができる。また、軸力管１１の肉厚を小さくしても所定の制震性能を発揮することができる。
【００２０】
［実施の形態２］
図２は本発明の実施の形態２に係るブレース材の要部を模式的に示した一部断面図である。なお、実施の形態１と同一又は相当部分には同じ符号が付してある。
本実施の形態に係るブレース材１は、軸方向の力を受ける軸力管１１と、エンドプレート１２と一体に形成され、軸力管１１の両端部に接合されたピン接合用のガセットプレート１５と、軸力管１１の両端部の外周面にエンドプレート１２から中央部に向って、実施の形態１で説明した範囲に巻回（配設）されて端部が軸力管１１又はエンドプレート１２に溶接により固定された座屈防止部材である鳥かご状の鉄筋材１６とにより構成された軸管力部材１０と、軸力管１１内に収容（挿入）された補剛管２０とからなっている。なお、軸力管１１の両端部に接合されたガセットプレート１５は、これに設けた貫通孔１５ａにピンが挿通され、建築構造物に設置されたクレビス継手に傾動自在に接合される。
【００２１】
上記の軸力管１１の外周に配設した鳥かご状の鉄筋材１６の鉄筋径、ピッチ等は限定するものではなく、また、２層以上の複数層設けてもよい。なお、ピン接合用のガセットプレート１５に代えて十字ガセットプレート１３を接合してもよく、また、鳥かご状の鉄筋材１６に代えてスパイラル状の鉄筋材１４を巻回してもよい。
本実施の形態においても、実施の形態１の場合と同様の制震性能効果を発揮することができる。
【００２２】
上記の説明では、座屈防止部材としてスパイラル状鉄筋材１４又は鳥かご状鉄筋材１６を用いた場合を示したが、これらを構成する材料は鉄筋材に限定するものではなく、例えば、鋼、Ａｌ合金、Ｔｉ合金等の線材やワイヤロープなど、局所的に軸方向にかかる垂直力を抑制できる線状の金属材料（以下、鉄筋材を含めてこれらの材料を金属線材という）であればよい。なお、これら金属線材で形成されたスパイラル状や鳥かご状の座屈防止部材に、軸力管１１の外周面や補剛管２０の内周面との摩擦を低減するために、例えば潤滑材を塗布するなどのアンボンド処理を施すことが望ましい。
【実施例】
【００２３】
次に、実施の形態１に係るブレース材１の実施例を、図３を用いて説明する。
本実施例におけるブレース材１の軸力管１１は、外径Ｄ：１１４．３ｍｍ、板厚ｔ：４．５ｍｍ、長さＬ：２５００ｍｍの１００Ｎ／ｍｍ2級低降伏点鋼管（例えば、ＪＦＥスチール（株）製  商品名「ＲＩＶＥＲＦＬＥＸ１００−Ｓ」）ＲＦ１００−Ｓの鋼管を用い、補剛管２０には、外径Ｄ1：１３９．８ｍｍ、板厚ｔ1：４．５ｍｍ、長さＬ1：２５５０ｍｍのＳＴＫ４００の鋼管を用いた。
【００２４】
また、エンドプレート１２には板厚ｔ2：２５ｍｍ、外径：１３９．８ｍｍで、ＳＮ４９０Ｂの円形鋼板を用い、十字ガセットプレート１３は、板厚ｔ3：１６ｍｍ、３０１．５×１１２ｍｍのＳＭ４９０Ａの長方形板１枚と、板厚ｔ3：１６ｍｍ、３１０．５×４８ｍｍのＳＭ４９０Ａの長方形板２枚とを十字状に接合して形成した。さらに、十字ガセットプレート１３の端部に試験機に取付けるための取付用プレート１７として、板厚ｔ4：５０ｍｍ、一辺２６０ｍｍの正方形で、ＳＭ４９０Ａの鋼板をそれぞれ固定した。
【００２５】
さらに、軸力管１１の両端部外周面の管端部からＬ3：３００ｍｍの範囲に、径６ｍｍの鉄筋（ＪＩＳ  ＳＲ２３５）をピッチ８０ｍｍで巻回したスパイラル状鉄筋材１４をそれぞれ配設し、その終端部からほぼ１０ｍｍの範囲をエンドプレート１２に巻回し、溶接により固定した。なお、上記の各部の数値はその一例を示すもので、これに限定するものではない。
【００２６】
このスパイラル状鉄筋材１４を軸力管１１に巻回するにあたっては、あらかじめ、径６ｍｍの鉄筋を軸力管の外径とほぼ等しい内径で、ピッチ８０ｍｍ、長さ約３１０ｍｍのスパイラル状に巻回し、これを軸力管１１の管端部から挿入し、その終端部の長さ約１０ｍｍをエンドプレート１２に巻回し、半自動の炭酸ガスアース溶接機によりフレア溶接して固定した。なお、スパイラル状鉄筋材１４の終端部を補剛管２０側に折曲げて、補剛管２０に溶接して固定してもよい。
【００２７】
［比較例］
次に、本発明に係るブレース材の性能を確認するために、上記の実施例に係るブレース材１と、これと同じ構造で座屈防止部材が設けられていない従来のブレース材との比較試験を行った。
図４は比較試験を行う状態を示す説明図である。試験機３０は、固定側の加力用治具３１（以下、受力治具という）と、下端部が傾動支点３２に連結されて立設され、傾動支点３２を中心に傾動する加力用柱３３と、この加力用柱３３の上部に設けられた傾動側の加力用治具３４（以下、付力治具という）と、加力用柱３３を傾動する傾動駆動手段（図示せず）とからなっている。
【００２８】
上記のような試験機３０により、試験体である前記実施例のブレース材１を試験するにあたっては、軸力管１１の両端部に設けた取付用プレート１７を、受力治具３１と付力治具３４によりそれぞれボルトにより剛接合する。このとき、ブレース材１は、直立した加力用柱３３に対して４５゜の角度で取付けられる。
そして、傾動駆動手段により加力用柱３３を傾動支点３２を中心に平面内を繰り返し傾動させると（所定範囲内で、転倒と起立を繰り返す）、試験体であるブレース材１には、軸方向の引張り力及び圧縮力に加えて、曲げ力が作用する。なお、上記の説明では、実施例に係るブレース材１について説明したが、従来のブレース材についても同様である。
【００２９】
図５は本発明（実施例）に係るブレース材１と、従来のブレース材の試験結果を示す応力−歪み線図で、図４において、加力用柱３３の位置Ｃ（傾動支点３２から２５００ｍｍの距離）が、水平方向に所定範囲変位しては元の位置に戻る場合（図４のＣからＤ−Ｅの間を繰り返して往復する場合）の試験結果を示すものである。
そして、縦軸は、軸力管１１に発生する応力度（傾動駆動手段によって付加された荷重の軸力管１１の軸方向成分を、軸力管１１の断面で除した計算値）であって、圧縮方向をプラス方向（上方向）に示す。また、横軸は、図４の十字ガセットプレート１３に設けた標点Ａ，Ｂ間の距離の伸び量を、当初の長さで除した測定値であって、圧縮歪みをプラス方向（右方向）に示す。
【００３０】
図５（ａ）は本発明に係るブレース材１の試験結果を示す線図である。
まず、図４において、加力用柱３３が傾動駆動手段に駆動されて、傾動支点３２を中心に図の左方向に傾動すると、軸力管１１に圧縮力が加わって原点から弾性変形を開始し、圧縮降伏したのちは僅かに加工硬化しながら塑性変形が進んでいく。そして、加力用柱３３が図４の位置Ｄに達すると、再び位置Ｃに向って戻る。
【００３１】
ついで、加力用柱３３は図４の右方向に傾動し、軸力管１１には引張力が加わって引張り降伏し、ごく僅かに加工硬化しながら塑性変形が進んでいく。そして、加力用柱３３が図４の位置Ｅに達すると、再び位置Ｃに戻る。
以下、同様に加力用柱３３はＤ−Ｅ間の傾動を繰り返すため、軸力管１１に生ずる応力−歪みが図示するようなバウシンガー効果を有するヒステリシス曲線として描かれる。そして、３０回目の加力のときに、位置（イ）において応力の増加が停止し、軸力管１１に座屈が発生した。
【００３２】
一方、従来のブレース材の試験においては、図５（ｂ）に示すように、本発明に係るブレース材１に準じたバウシンガー効果を有するヒステリシス曲線が描かれ、このヒステリシス曲線は本発明に係るブレース材１と同様の挙動を示している。
しかしながら、９回目の加力に入る直前、すなわち、引張り加重から圧縮加重に移行した位置（ロ）において、屈部座屈が発生した。
【００３３】
以上の比較結果から明らかなように、本発明に係るブレース材１は、軸力管１１に座屈防止部材であるスパイラル状鉄筋材１４を巻回したことにより、従来のブレース材に比べて軸力管１１への繰り返し加力回数が、９回から３０回と３倍以上増加しており、本発明に係るブレース材１が顕著な効果を有することが確認された。
【図面の簡単な説明】
【００３４】
【図１】本発明の実施の形態１に係るブレース材の要部を模式的に示した一部断面図である。
【図２】本発明の実施の形態２に係るブレース材の要部を模式的に示した一部断面図である。
【図３】図１の実施例の説明図である。
【図４】本発明に係るブレース材と従来のブレース材との比較試験を行う状態を示す説明図である。
【図５】比較試験の結果を示す応力−歪み線図である。
【図６】従来のブレース材における局部座屈長さを示す度数分布図である。
【符号の説明】
【００３５】
１  ブレース材、１０  軸力管部材、１１  軸力管、１２  エンドプレート、１３  十字ガセットプレート、１４  スパイラル状鉄筋材、１５  ピン接合用のガセットプレート、１６  鳥かご状の鉄筋材、１７  取付け用プレート、３０  試験機。
【図１】
2006037590.tif 000003
【図２】
2006037590.tif 000004
【図３】
2006037590.tif 000005
【図４】
2006037590.tif 000006
【図５】
2006037590.tif 000007
【図６】
2006037590.tif 000008